(57)【特許請求の範囲】
【請求項１】
上下を開放した平面形状が枠状のハウジングと、前記ハウジングの側面に開けた複数の着脱孔のそれぞれから着脱自在な複数の感光体ドラムと、前記ハウジングの上面側から着脱自在に差し込まれ下端側に前記感光体ドラムの周面に接触する現像ローラを備えた複数の現像ユニットと、前記ハウジングの内部に横架固定され前記感光体ドラムに接触するクリーニングブレードと、前記ハウジングの内部に配置され前記感光体ドラムを帯電させる帯電手段とからなる画像形成ユニットを含むことを特徴とするカラー画像形成装置。
【請求項２】
前記ハウジングを合成樹脂製とするとともに少なくとも一方の側面に、装置本体側のシャーシに固定される金属板の保持板金を一体に備え、前記保持板金には前記装置本体の内部の放熱部から離れた側の一端に前記シャーシへの取り付けのための位置決め孔を設けていることを特徴とする請求項１記載のカラー画像形成装置。
【請求項３】
前記クリーニングブレードは前記ハウジングの側面から突き出る長さの高剛性の支持具に固定され、前記ハウジングの側面の同じ高さ位置に、前記支持具を斜め下または上の姿勢として受ける保持座を形成し、前記支持具をネジにより前記保持座に固定したことを特徴とする請求項１または２記載のカラー画像形成装置。
【請求項４】
前記画像形成ユニットはイエロー，マゼンタ，シアン，ブラックの４色に対応する４個の配列として組み込まれ、ブラックの画像形成ユニットの感光体ドラムの周面材を他の感光体ドラムよりも高耐用性材としたことを特徴とする請求項１から３のいずれかに記載のカラー画像形成装置。
【発明の詳細な説明】
【０００１】
【発明の属する技術分野】
本発明は、電子写真技術などを利用して画像情報を重ね合わせて合成像を形成するカラー画像形成装置に関する。
【０００２】
【従来の技術】
従来より、電子写真技術を採用した画像形成装置においては、像担持体としての電子写真感光体を帯電器により帯電し、この感光体に画像情報に応じた光照射を行って潜像を形成し、この潜像を現像器によって現像して顕像化したトナー像をシート材等に転写して画像を形成することが行われている。
【０００３】
一方、画像のカラー化に伴って、このような一連の画像形成プロセスが展開される像担持体を複数備えておき、シアン像、マゼンタ像、イエロー像、好ましくはブラック像の各色像をそれぞれの像担持体に形成し、各像担持体の転写位置にてシート材に各色像を重ね合わせて転写することによりフルカラー画像を形成するタンデム方式の画像形成装置も従来から数多く提案されている。このようなタンデム方式の多重画像形成装置は、各色ごとにそれぞれの画像形成部を有するため、高速化に有利であるとされている。
【０００４】
タンデム方式の多重画像形成装置は、たとえば本願出願人が提案して特願平１１−９２５９８号として出願した明細書に記載のように、イエロー（Ｙ），マゼンタ（Ｍ），シアン（Ｃ），ブラック（Ｋ）の各色のトナー像をそれぞれ形成するための画像形成ユニットと、画像信号を出力して静電潜像を形成させるための露光器と、閉ループ状に形成されて走行する中間転写ベルトと、定着器とを備え、用紙カセットから供給された用紙Ｐに中間転写ベルト上のトナー像を転写して定着器によりトナー像を用紙に定着させるというものである。
【０００５】
図９は従来の現像ユニットと感光体ユニットの構成例を示す要部の概略正面図である。
【０００６】
イエロー（Ｙ），マゼンタ（Ｍ），シアン（Ｃ），ブラック（Ｋ）のそれぞれの画像形成ユニットはいずれも共通の構造としたもので、その一つの画像形成ユニットを図９に示す。図示のように、画像形成ユニットは、露光器（図示せず）のレーザビームによって静電潜像がその周面に形成される感光体ドラム１０１と、これを帯電させる帯電ローラ１０２と、クリーニングブレード１０３を含む感光体ユニット、及びトナー供給タンク１０４と、トナー供給ローラ１０５、と感光体ドラム１０１に接触する現像ローラ１０６と、この現像ローラ１０６に接触してトナー層を均一薄層且つ所定の電位に帯電させるトナー薄層化ブレード１０７とを含む現像ユニットの組合せとしたものである。
【０００７】
このような画像形成ユニットにおいて、感光体ドラム１０１上に露光器によって画像情報の静電潜像が形成される。この静電潜像は現像ローラ１０６によりトナー像として可視像化され、中間転写ベルト上に転写される。そして、４色のカラー画像形成装置では、各色のトナー像が中間転写ベルト上に転写されて最終的に多重のカラー画像が創成される。
【０００８】
【発明が解決しようとする課題】
ところが、４色の画像形成のための画像形成ユニットはそれぞれ図９に示す形態として画像形成装置の本体にそれぞれ別個に組み込まれる。このため、組立てや保守点検のための分解作業が煩雑である。また、図示のように感光体ドラム１０１を挟んでクリーニングブレード１０３と現像ローラ１０６及びトナー供給ローラ１０５とが順に配列されるため、一つの画像形成ユニットの中間転写ベルトの走行方向（図において左側から右側方向）の長さが長くなる。このため、４色の画像形成ユニットのそれぞれの感光体ドラム１０１どうしの間隔が長くなる傾向にある。
【０００９】
このように感光体ドラム１０１の間隔が長いと、装置の小型化に制約を受けるだけでなく、中間転写ベルトの転写位置の間隔も広がるので、カラーの多重画像形成の場合では各色の転写精度が低下して色ずれを発生する原因となり、良好なカラー画像の形成に支障を招く。また、転写ベルトも長くする必要があるので、同様に色ずれを発生しやすく、装置が大型化するとともにコストも高くなるという問題がある。
【００１０】
本発明は、多色画像形成のための画像形成ユニットを一体化して保守点検が簡単で操作性を向上し得るカラー画像形成装置を提供することを目的とする。
【００１１】
【課題を解決するための手段】
本発明は、上下を開放した平面形状が枠状のハウジングと、前記ハウジングの側面に開けた複数の着脱孔のそれぞれから着脱自在な複数の感光体ドラムと、前記ハウジングの上面側から着脱自在に差し込まれ下端側に前記感光体ドラムの周面に接触する現像ローラを備えた複数の現像ユニットと、前記ハウジングの内部に横架固定され前記現像ローラに接触するクリーニングブレードと、前記ハウジングの内部に配置され前記感光体ドラムを帯電させる帯電手段とからなる画像形成ユニットを含むことを特徴とする。
【００１２】
本発明では、多色画像形成のための画像形成ユニットを一体化して保守点検が簡単で操作性を向上し得るカラー画像形成装置を得ることができる。
【００１３】
【発明の実施の形態】
請求項１に記載の発明は、上下を開放した平面形状が枠状のハウジングと、前記ハウジングの側面に開けた複数の着脱孔のそれぞれから着脱自在な複数の感光体ドラムと、前記ハウジングの上面側から着脱自在に差し込まれ下端側に前記感光体ドラムの周面に接触する現像ローラを備えた複数の現像ユニットと、前記ハウジングの内部に横架固定され前記現像ローラに接触するクリーニングブレードと、前記ハウジングの内部に配置され前記感光体ドラムを帯電させる帯電手段とからなる画像形成ユニットを含むことを特徴とするカラー画像形成装置であり、画像形成ユニットを１個のハウジングにまとめて一体化した構成なので、コンパクト化と取り扱いの容易化が図れるという作用を有する。
【００１４】
請求項２に記載の発明は、前記ハウジングを合成樹脂製とするとともに少なくとも一方の側面に、装置本体側のシャーシに固定される金属板の保持板金を一体に備え、前記保持板金には前記装置本体の内部の放熱部から離れた側の一端に前記シャーシへの取り付けのための位置決め孔を設けていることを特徴とする請求項１記載のカラー画像形成装置であり、ハウジングが合成樹脂製であっても装置本体側の取り付け用のシャーシには金属の保持板金を介して固定されるので、装置内の放熱による取り付け誤差が生じることがなく、しかも位置決め孔を放熱部から離れた側の一端に設けているので加熱による位置決め誤差も抑えるという作用を有する。
【００１５】
請求項３に記載の発明は、前記クリーニングブレードは前記ハウジングの側面から突き出る長さの高剛性の支持具に固定され、前記ハウジングの側面の同じ高さ位置に、前記支持具を斜め下または上の姿勢として受ける保持座を形成し、前記支持具をネジにより前記保持座に固定したことを特徴とする請求項１または２記載のカラー画像形成装置であり、保持座が同じ高さにあってもこれに固定する支持具は斜め下または斜め上の姿勢となるので、ネジに掛けるドライバなどの工具による締付け作業が簡単に行なえるという作用を有する。
【００１６】
請求項４に記載の発明は、前記画像形成ユニットはイエロー，マゼンタ，シアン，ブラックの４色に対応する４個の配列として組み込まれ、ブラックの画像形成ユニットの感光体ドラムの周面材を他の感光体ドラムよりも高耐用性材としたことを特徴とする請求項１から３のいずれかに記載のカラー画像形成装置であり、モノクロームにも対応させて使用頻度の高いブラックの感光体ドラムの寿命を他の感光体ドラムのそれと合わせるように長くできるという作用を有する。
【００１７】
以下、本発明の実施の形態を図面に基づいて説明する。
【００１８】
図１は本発明の一実施の形態によるカラー画像形成装置の構成を示す概略正面図である。
【００１９】
図１において、ドライブプーリ５１ａによって矢印方向に走行駆動される中間転写ベルト５１が閉ループ状に配置され、この中間転写ベルト５１の下方に配置された用紙カセット５２から用紙Ｐが転写ローラ５１ｂと中間転写ベルト５１との間を抜けて定着器５３へ給紙される概略構成となっている。すなわち、中間転写ベルト５１に形成されたカラーのトナー画像は用紙Ｐが転写ローラ５１ｂとの間にニップされるこの用紙Ｐに転写され、転写トナー画像は定着器５３によって用紙Ｐに定着される。そして、中間転写ベルト５１の上方にはレーザーを画像情報に基づいて照射する露光器（図示せず）が配置され、この露光器と中間転写ベルト５１との間にイエロー（Ｙ），マゼンタ（Ｍ），シアン（Ｃ），ブラック（Ｋ）の画像を順に形成する画像形成ユニットＡを配置している。
【００２０】
図２は感光体ドラムと帯電ブラケットを備えたハウジングに現像ユニットを装着したときの要部の正面縦断面図、図３はハウジングの斜視図である。
【００２１】
図３に示すようにハウジング１は上下を開放した箱体状であり、下端部には転写ベルト５１に接触してトナー像を転写するための感光体ドラム２ａ，２ｂ，２ｃ，２ｄをそれぞれ外部の駆動機構により時計方向に回転可能に軸支している。これらの感光体ドラム２ａ〜２ｄは露光器（図示せず）からのレーザビームによって周面に静電潜像を形成可能としたもので、図３のハウジング１の一方の端部壁に開けた着脱孔１ａから抜き差し可能である。また、感光体ドラム２ａ〜２ｄの近傍には、その周面に接触して帯電させる帯電ブラシ３ａ，３ｂ，３ｃ，３ｄを回転自在に配置するとともに、中間転写ベルト５１にトナー像を転写した後の残留トナーを剥離除去するためのクリーニングブレード４ａ，４ｂ，４ｃ，４ｄを配置する。これらの感光体ドラム２ａ〜２ｄ，帯電ブラシ３ａ〜３ｄ，クリーニングブレード４ａ〜４ｄによって感光体ユニットが構成される。
【００２２】
なお、モノクロームの画像形成では、ブラックの画像形成ユニットだけが使用されるので、感光体ドラム２ｄは他の感光体ドラム２ａ〜２ｃに比べると使用頻度が高い。このため、感光体ドラム２ｄは耐用が長い素材とすることが好ましく、アモルファスシリコンを外周材として使用する。
【００２３】
図４は支持具に保持されたクリーニングブレードの斜視図であって、ゴムを素材としたクリーニングブレード４ａ（４ｂ〜４ｃ）は図２から明らかなようにほぼ「コ」の字状の断面形状を持つ金属板の支持具５に一体化されたものである。この支持具５は図３に示すようにハウジング１の両端部壁の外面に形成された斜め姿勢の保持座１ｄに突き当てられ、支持具５に開けた孔５ａに通すビス５ｂによってこの保持座１ｄに固定される。支持具５はほぼ「コ」の字状の断面形状を持つのでその剛性が高く、保持座１ｄで両端を固定されていても長手方向の中央部の撓み変形を抑えることができる。このため支持具５に支持されたクリーニングブレード４ａ〜４ｄを感光体ドラム２ａ〜２ｄの軸線方向の全長に亘って均等に接触させることができ、トナーの掻き取りが良好に行なわれる。また、ハウジング１自体も４本の支持具５によって補強されるので、その変形が抑えられ各部材の配置精度を高く維持できる。
【００２４】
ハウジング１の両端部壁の内面には一対の装着溝１ｂ，１ｃをそれぞれ４箇所に設け（図３参照）、これらの装着溝１ｂ，１ｃにガイドされてハウジング１に上から出し入れ自在に収納されるイエロー（Ｙ），マゼンタ（Ｍ），シアン（Ｃ），ブラック（Ｋ）の現像ユニット６，７，８，９を設ける。これらの現像ユニット６〜９は図１に示すように各色のトナーを収納して画像形成装置の本体に対して着脱自在なトナータンク１０ａ，１０ｂ，１０ｃ，１０ｄにそれぞれトナーの供給路を接続可能としたものである。
【００２５】
ハウジング１には着脱孔１ａを設けない側の端部の表面に補強用の保持板金１ｅをビス１ｆによって一体に固定する。この保持板金１ｅはハウジング１の側面形状にほぼ合わせたもので、図１において定着器５３から離れた側に円形開口の位置決め孔１ｅ−１を設けるとともに他端側には長孔１ｅ−２を開けている。保持板金１ｅは画像形成装置本体のシャーシ（図示せず）とビス（図示せず）により固定されるもので、円形の位置決め孔１ｅ−１を図１において定着器５３から離れた側に位置する。したがって、加熱ローラを含む定着器５３からの熱影響を受けることなく保持板金１ｅを介してハウジング１を画像形成装置本体に対して正しい位置に高精度で固定することができる。すなわち、樹脂によって成形されるハウジング１自身は定着器５３による熱の影響を受けやすいが、保持板金１ｅを介して画像形成装置本体側のシャーシに固定されるので、ハウジング１を安定固定できる。したがって、感光体ドラム２ａ〜２ｄの配列ピッチを高精度で実現でき、中間転写ベルト５１への色ずれのない転写が可能となる。
【００２６】
図５はハウジングに対する保持板金の取り付けを示す要部の正面図であって、前述のように保持板金１ｅには定着器５３から遠い側の右端部に円形の位置決め孔１ｅ−１を開け、左端側に長孔１ｅ−２を設けている。一方、ハウジング１の保持座１ｄは図示のように右上がりに傾斜した姿勢として形成され、支持具５は保持座１ｄが斜め下を向く斜面にビス５ｂによって固定されている。このような構成では、保持座１ｄがハウジング１の長手方向に同じ高さ位置に配置されていても、ビス５ｂに掛けるドライバを斜め下から差し込むことができ、ハウジング１への支持具５の取り付け作業が簡単になる。なお、支持具５の下側には、クリーニングブレード４ａ〜４ｄによって掻き落とされたトナーを回収して排出するスクリューを備えた排出ユニット５ｃを備えている。
【００２７】
図１及び図２に戻って、各現像ユニット６〜９はそれぞれトナータンク１０ａ〜１０ｄにトナー流路を接続可能にハウジング１内に収納されるケーシング６ａ，７ａ，８ａ，９ａを備え、これらのケーシング６ａ〜９ａにそれぞれトナー攪拌用のアジテータ６ｂ，７ｂ，８ｂ，９ｂ，トナー供給ローラ６ｃ，７ｃ，８ｃ，９ｃ、現像ローラ６ｄ，７ｄ，８ｄ，９ｄ、薄層化ローラ６ｅ，７ｅ，８ｅ，９ｅをそれぞれ回転駆動可能に収納したものである。トナー供給ローラ６ｃ〜９ｃは現像ローラ６ｄ〜９ｄにトナーを付着させ、薄層化ローラ６ｅ〜９ｅは現像ローラ６ｄ〜９ｄのトナー層を均一薄層化するとともに所定の電位に帯電させ、現像ローラ６ｄ〜９ｄは感光体ドラム２ａ〜２ｄ上の静電潜像にトナーを帯電付着させてトナー像を形成させるものである。また、ケーシング６ａ〜９ａの下端部には、現像ローラ６ｄ〜９ｄに接触して付着トナーをトナー供給ローラ６ｃ〜９ｃ側に回収し中間転写ベルト５１へのトナーの抜け落ちを防止するためのリカバリーシート６ｆ，７ｆ，８ｆ，９ｆを設ける。更に、薄層化ローラ６ｅ〜９ｅの近傍にはその周面に接触して付着トナーを除去するスクレーパ６ｇ，７ｇ，８ｇ，９ｇを配置する。
【００２８】
図６は１個の現像ユニット６を感光体ドラム２ａとともに示す斜視図であり、図示のようにケーシング６ａの両端にはスプリング６ｈを配置している。このスプリング６ｈはケーシング６ａを図７に示すようにハウジング１の中に差し込んだとき、ハウジング１の内壁の受け座（図示せず）に係合してケーシング６ａを斜め下向きに付勢する。これにより、図示のように現像ローラ６ｄが感光体ドラム２ａの周面に適度の押圧力を持って接触する組立てを得ることができる。なお、他の現像ユニット７〜９のケーシング７ａ〜９ａの組み込みについても全く同様であり、全ての現像ユニット６〜９をハウジング１の中にセットした状態を図８に示す。
【００２９】
図１及び図２に戻って、前述のように、クリーニングブレード４ａ〜４ｄの支持具５の下にトナーを回収するためのスクリューを内蔵した排出ユニット５ｃが取り付けられている。この排出ユニット５ｃはクリーニングブレード４ａ〜４ｄによって掻き取られたトナーを回収して排出する機能を持つ。
【００３０】
また、帯電ブラシ３ａ〜３ｄには感光体ドラム２ａ〜２ｄの周面に残っている残留トナーが付着するので、この残留トナーを除去するためのパッド１１ａ，１１ｂ，１１ｃ，１１ｄを設ける。パッド１１ａ，１１ｂ，１１ｃはそれぞれの右隣のケーシング７ａ，８ａ，９ａの外壁を利用して取り付けられ、残りのパッド１１ｄはハウジング１の内壁を利用して取り付けられている。更に、ケーシング７ａ，８ａ，９ａはそれぞれ左隣の現像ユニット６，７，８の帯電ブラシ３ａ，３ｂ，３ｃの近傍を通るような断面形状として形成されている。このようなケーシング７ａ〜９ａの形状によって、帯電ブラシ３ａ〜３ｃの周面の一部をカバーすることができ、帯電ブラシ３ａ〜３ｃが回転するときに付着したトナーの飛散をケーシング７ａ〜９ａが遮ることができる。このように、ケーシング７ａ〜９ａはそれぞれの左隣のユニットの帯電ブラシ３ａ〜３ｃのカバーとして機能すると同時に付着トナー除去のためのパッド１１ａ〜１１ｃの取り付け部材としても利用できる。したがって、帯電ブラシ３ａ〜３ｃのカバーやパッド１１ａ〜１１ｃ取り付け用の専用の部材を必要とせず、帯電ブラシ３ａ〜３ｃ周りの占有空間を狭くできる。
【００３１】
ここで、クリーニングブレード４ａ〜４ｃはそれぞれ隣接する感光体ドラム２ａ〜２ｃの間に位置し、その背面をほぼ「コ」の字状の断面形状を持つ支持具５によって保持されている。この支持具５は少し右下がりに傾斜しているものの上に凹となる姿勢をとり、現像ローラ７ｄ，８ｄ，９ｄを向く面が凹んだ形状となっている。したがって、現像ローラ７ｄ，８ｄ，９ｄに付着していてリカバリーシート７ｆ，８ｆ，９ｆで回収できなかったトナーを受けることができる。すなわち、４個の感光体ドラム２ａ〜２ｄのそれぞれの間に支持具５とこれに保持されたクリーニングブレード４ａ〜４ｃだけを配置することで、感光体ドラム２ａ〜２ｄどうしの間隔を狭めることができる。また、支持具５は前述のようにトナーを受ける部材として利用できるので、最もトナーを放出しやすい現像ローラ７ｄ〜９ｄを支持具５の上側に位置させると同時に、トナー供給ローラ７ｃ〜９ｃの周面からトナーが抜け落ちるリカバリーシート７ｆ〜９ｆの下に支持具５を位置させることが好ましい。そこで、現像ユニット７〜９の現像ローラ７ｄ〜９ｄの軸芯を感光体ドラム２ｂ〜２ｄの中心から左斜め上の線分上に位置させる配置とした。なお、このような配置は現像ユニット６の現像ローラ６ｄについても同様であり、漏れ落ちるトナーはハウジング１の下端部で受け止めて回収できるようにする。
【００３２】
このように感光体ドラム２ａ〜２ｄに対する現像ローラ６ｄ〜９ｄの位置関係によって、感光体ドラム２ａ〜２ｄは現像ローラ７ｄ〜９ｄによる配列方向の干渉を受けない。したがって、感光体ドラム２ａ〜２ｄどうしの間隔を従来例で示した構成に比べて短くできる。また、現像ローラ６ｄ〜９ｄは感光体ドラム２ａ〜２ｄの真上ではなく左斜めに偏って位置しているので、これらの現像ローラ６ｄ〜９ｄと感光体ドラム２ａ〜２ｄとの高さ方向の寸法も抑えられる。そして、前述のように現像ローラ７ｄ〜９ｄは支持具５の上方に位置していることから、現像ローラ７ｄ〜９ｄから払い出されるトナーを支持具５で受け止めることができ、中間転写ベルト５１への無用なトナーの付着も防止できる。
【００３３】
以上の構成において、感光体ドラム２ａ〜２ｄはハウジング１の側面に開けた着脱孔１ａから抜き差しできるので、簡単に組み込みと取り外しができ、周面のクリーニングなどの作業が容易になる。また、現像ユニット６〜９も図７及び図８で示したようにハウジング１の上面から抜き差しすることで着脱できる。そして、感光体ドラム２ａ〜２ｄと現像ユニット６〜９をハウジング１にセットするだけで、現像ローラ６ｄ〜９ｄを感光体ドラム２ａ〜２ｄに接触配置することができる。したがって、ハウジング１を画像形成装置の本体から引き出せば、全ての感光体ドラム２ａ〜２ｄと現像ユニット６〜９を簡単に取り外したり組み込むことができ、別個に配置する場合に比べると取り扱いが容易になる。
【００３４】
なお、感光体ドラム２ａ〜２ｄによる中間転写ベルト５１へのトナー画像の転写工程及び中間転写ベルト５１と転写ローラ５１ｂによる用紙Ｐへの転写の動作は従来のタンデム方式の画像形成装置のものと同様である。
【００３５】
【発明の効果】
本発明によれば、画像形成ユニットを１個のハウジングにまとめて感光体ドラムや現像ユニットを収納した構成としているので、ハウジング単位での製造や保守点検ができハンドリングがしやすくなる。また、ハウジングに各種の部材を集約して配置するので、特に感光体ローラどうしの間の間隔を従来構造に比べて短くでき、装置の小型化も可能となる。
【００３６】
合成樹脂製のハウジングとしていても、クリーニングブレードを取り付けるための高剛性の支持具をハウジングに固定する構成とすれば、ハウジングの剛性も高くなり、強度面での改善も図られる。
【００３７】
ハウジングに金属の保持板金を一体に取り付けた構成では、装置に放熱源があっても保持板金によって熱影響を受けることなく装置本体側のシャーシに高精度で固定でき、特に放熱源から離れた側の一端に位置決め孔を備えると位置決め精度が向上し、感光体ドラムによる色ずれのない良好な転写が可能となる。
【図面の簡単な説明】
【図１】本発明の一実施の形態によるカラー画像形成装置の構成を示す概略正面図
【図２】感光体ドラムと帯電ブラケットを備えたハウジングに現像ユニットを装着したときの要部の正面縦断面図
【図３】ハウジングの斜視図
【図４】支持具に保持されたクリーニングブレードの斜視図
【図５】ハウジングに対する保持板金の取り付けを示す要部の正面図
【図６】１個の現像ユニットを感光体ドラムとともに示す斜視図
【図７】ハウジングにイエローの現像ユニットを組み込んだときの斜視図
【図８】ハウジングに全ての現像ユニットを組み込んだときの斜視図
【図９】従来の現像ユニットと感光体ユニットの構成例を示す要部の概略正面図
【符号の説明】
１  ハウジング
１ａ  着脱孔
１ｂ，１ｃ  装着溝
１ｄ  保持座
１ｅ  保持板金
１ｅ−１  位置決め孔
１ｅ−２  長孔
１ｆ  ビス
２ａ，２ｂ，２ｃ，２ｄ  感光体ドラム
３ａ，３ｂ，３ｃ，３ｄ  帯電ブラシ
４ａ，４ｂ，４ｃ，４ｄ  クリーニングブレード
５  支持具
５ａ  孔
５ｂ  ビス
５ｃ  排出ユニット
６，７，８，９  現像ユニット
６ａ，７ａ，８ａ，９ａ  ケーシング
６ｂ，７ｂ，８ｂ，９ｂ  アジテータ
６ｃ，７ｃ，８ｃ，９ｃ  トナー供給ローラ
６ｄ，７ｄ，８ｄ，９ｄ  現像ローラ
６ｅ，７ｅ，８ｅ，９ｅ  薄層化ローラ
６ｆ，７ｆ，８ｆ，９ｆ  リカバリーシート
６ｇ，７ｇ，８ｇ，９ｇ  スクレーパ
６ｈ  スプリング
１０ａ，１０ｂ，１０ｃ，１０ｄ  トナータンク
１１ａ，１１ｂ，１１ｃ，１１ｄ  パッド
５１  中間転写ベルト
５１ａ  ドライブプーリ
５１ｂ  転写ローラ
５２  用紙カセット
５３  定着器
Ａ  画像形成ユニット
Ｐ  用紙
【図１】
0003627627.tif 000002
【図２】
0003627627.tif 000003
【図３】
0003627627.tif 000004
【図４】
0003627627.tif 000005
【図５】
0003627627.tif 000006
【図６】
0003627627.tif 000007
【図７】
0003627627.tif 000008
【図８】
0003627627.tif 000009
【図９】
0003627627.tif 000010